(57)【要約】      （修正有）【課題】剛性は高いが成形および加工が困難な材料を用いることのできる筐体を提供する。【解決手段】携帯端末装置１の筐体１０は、筐体の側面を構成する側面部材２と、側面部材と接続されて筐体の底面を構成する底面部材３とを含み、側面部材は、平板形状であって、底面部材よりも剛性が高い。平板形状の側面部材は、６面全てが長方形の直方体状の平板を複数枚（例えば４枚）組み合せて形成されていてもよいし、このような形状の平板１枚を曲げて形成されていてもよい。【選択図】図１
2013140922.tif 000002
【特許請求の範囲】
【請求項１】
携帯型電子機器の筐体であって、
上記筐体の側面を構成する側面部材と、
上記側面部材と接続されて上記筐体の底面を構成する底面部材とを含み、
上記側面部材は、平板形状であって、上記底面部材よりも剛性が高いことを特徴とする筐体。
【請求項２】
上記底面部材の密度は、上記側面部材の密度よりも小さいことを特徴とする請求項１に記載の筐体。
【請求項３】
上記底面部材は、上記筐体の内部に収容する構成要素を支持する支持部を有することを特徴とする請求項１または２に記載の筐体。
【請求項４】
上記支持部は、上記側面部材の内周に沿って設けられており、
上記支持部と、上記側面部材の内側の面とが接着されていることを特徴とする請求項３に記載の筐体。
【請求項５】
上記側面部材の高さは、上記筐体の内部空間の高さ以上であることを特徴とする請求項１から４の何れか１項に記載の筐体。
【請求項６】
上記側面部材の上面は、該側面部材によって形成される上記筐体の開口部を塞ぐ板状の保護部材を接着するための接着面となっていることを特徴とする請求項１から５の何れか１項に記載の筐体。
【請求項７】
上記側面部材の上面に、上記保護部材を固定するための切り欠き部が設けられていることを特徴とする請求項６に記載の筐体。
【請求項８】
上記側面部材の下端部の上記筐体の外側に向く角がテーパ状または円弧状に形成されていることを特徴とする請求項１から７の何れか１項に記載の筐体。
【請求項９】
上記底面部材は、上記側面部材を覆って上記筐体の側面まで延在していることを特徴とする請求項１から８の何れか１項に記載の筐体。
【請求項１０】
上記底面部材の上記筐体の側面まで延在する端部は、上記側面部材の上面よりも上側まで達していることを特徴とする請求項９に記載の筐体。
【請求項１１】
上記筐体の側面の一部は、上記側面部材よりも加工の容易な材質の部材で構成されていることを特徴とする請求項１から１０の何れか１項に記載の筐体。
【請求項１２】
上記側面部材は、複数の平板形状の部材を接続して形成されたものであることを特徴とする請求項１から１１の何れか１項に記載の筐体。
【請求項１３】
上記側面部材は、炭素繊維を並べて樹脂で固めたシートを複数枚積層したＣＦＲＰ材で形成されていることを特徴とする請求項１から１２の何れか１項に記載の筐体。
【請求項１４】
上記底面部材は、細断した繊維を混合して形成された繊維強化樹脂で形成されていることを特徴とする請求項１３に記載の筐体。
【請求項１５】
請求項１から１４の何れか１項に記載の筐体を備えた携帯型電子機器。
【発明の詳細な説明】
【技術分野】
【０００１】
本発明は、携帯型電子機器の筐体に関し、より詳細には筐体の剛性を高めるための構成に関する。
【背景技術】
【０００２】
近年、スマートフォンやタブレット端末をはじめとする携帯型の電子機器が広く普及しつつある。このような携帯型の電子機器の筐体には、軽量であることと共に、高い剛性を有することが求められており、軽量化・高剛性化のための筐体の構造および材料についての検討が従来から進められている。
【０００３】
例えば、下記の特許文献１には、一面に開口部を有する基体と、該基体の開口部に対向して位置し該基体と一体化せしめられる枠体とを含む電子機器筐体において、基体を構成する材料の曲げまたは引張弾性率をＥＢ、枠体を構成する材料の曲げまたは引張弾性率をＥＦとし、ＥＢ／ＥＦの値をＧとしたとき、Ｇ＜１、あるいは、Ｇ＞１かつＥＦ≧１０の関係を満足する電子機器筐体であれば、基体を薄肉、軽量化した場合でも高い剛性が得られることが記載されている。
【０００４】
ここで、特許文献１の電子機器筐体の構成について、図１８に基づいて説明する。図１８は、従来の電子機器筐体１００の横断面図である。
【０００５】
図示のように、電子機器筐体１００は、断面がコの字型の基体１０２の開口部に、断面がＬ字型の枠体１０１を接続してなる。つまり、電子機器筐体１００の底面は基体１０２で構成され、側面は基体１０２の立ち上がり部分と枠体１０１とで構成されている。そして、上面は枠体１０１で構成されている。また、枠体１０１は、電子機器筐体１００内部に配置された表示装置の表示面が見えるようにするための開口部を有している。
【０００６】
特許文献１の発明では、このような構成の電子機器筐体１００において、（基体１０２の材料の曲げまたは引張弾性率）／（枠体１０１の材料の曲げまたは引張弾性率）＜１の条件（条件１）を満たすようにしている。あるいは、（基体１０２の材料の曲げまたは引張弾性率）／（枠体１０１の材料の曲げまたは引張弾性率）＞１かつ（枠体１０１の材料の曲げまたは引張弾性率）≧１０の条件（条件２）を満たすようにしている。
【０００７】
上記条件１は、枠体１０１の材料の曲げまたは引張弾性率を、基体１０２よりも大きくするというものである。また、上記条件２は、枠体１０１の材料の曲げまたは引張弾性率を１０ＧＰａ以上とし、基体１０２の曲げまたは引張弾性率をこれよりさらに大きくするというものである。
【先行技術文献】
【特許文献】
【０００８】
【特許文献１】特開２００２−３１４２６２号公報（２００２年１０月２５日公開）
【発明の概要】
【発明が解決しようとする課題】
【０００９】
しかしながら、上記の電子機器筐体１００は、枠体１０１が電子機器筐体１００の側面と上面との２面をカバーするため、断面がＬ字型の形状となっており、このような形状に加工することが難しい材料を枠体１０１に適用することが困難であるという問題がある。
【００１０】
例えば、炭素繊維を並べて樹脂で固めたシートを複数枚積層したＣＦＲＰ（Carbon Fiber Reinforced Plastic）材（以下、積層ＣＦＲＰ材と呼ぶ）は、極めて剛性が高く、また軽量であって、筐体に求められる特性を有するものである。しかしながら、積層ＣＦＲＰ材は、一般的な樹脂のような成形方法を適用することができず、図１８の枠体１０１のような形状に成形することが困難である。
【００１１】
また、一般的な電子機器の筐体では、筐体内部に収容する構成要素を固定するための支持部や、基体と枠体とを接続するための形状を作り込む必要がある。このような観点からも、電子機器の筐体として、積層ＣＦＲＰ材のような、複雑な形状に成形したり、加工したりすることが難しい材料を使用することが困難であった。
【００１２】
本発明は、上記の問題点に鑑みてなされたものであり、その目的は、剛性は高いが成形および加工が困難な材料を用いることのできる筐体を提供することにある。
【課題を解決するための手段】
【００１３】
上記の課題を解決するために、本発明の筐体は、携帯型電子機器の筐体であって、上記筐体の側面を構成する側面部材と、上記側面部材と接続されて上記筐体の底面を構成する底面部材とを含み、上記側面部材は、平板形状であって、上記底面部材よりも剛性が高いことを特徴としている。
【００１４】
上記の構成によれば、筐体の側面を構成する側面部材が平板形状であるから、剛性が高いが加工の難しい積層ＣＦＲＰ材のような材料で側面部材を構成することが可能になる。また、上記の構成によれば、側面部材は底面部材よりも剛性が高いので、筐体全体として高い剛性が得られる。
【００１５】
なお、上記「平板形状の側面部材」は、６面全てが長方形の直方体状の平板を複数枚（例えば４枚）組み合せて形成されていてもよいし、このような形状の平板１枚を曲げて形成されていてもよい。ここで、平板を曲げて形成する場合には、側面部材の四隅の角は、Ｒ状（上面視略円弧状の曲面）となるが、このような構成も上記平板形状に含まれる。
【００１６】
つまり、上記「平板形状の側面部材」は、剛性が高いが加工の難しい積層ＣＦＲＰ材のような材料で構成することができるような形状であればよく、各側面が概ね平板形状であるような構成もこれに含まれる。
【００１７】
また、上記筐体は、筐体側面の全てが側面部材で形成されている必要はなく、所望の剛性が得られる範囲内で、側面の一部をより剛性の低い材料で形成してもよい。上記筐体には、例えば、底面部材と同じ材料の板状部材と、上記側面部材との組み合わせにより、筐体側面が形成されているような構成のものも含まれる。また、例えば、上記底面部材の一部が筐体側面の一部を構成するように、底面から突出する突出部を作りこみ、この突出部と上記側面部材とで筐体側面が形成されているような構成のものも含まれる。
【００１８】
また、上記底面部材の密度は、上記側面部材の密度よりも小さいことが好ましい。
【００１９】
上記の構成によれば、底面部材の密度が側面部材の密度よりも小さいため、筐体全体を軽量化することが可能になる。
【００２０】
また、上記底面部材は、上記筐体の内部に収容する構成要素を支持する支持部を有することが好ましい。
【００２１】
上記の構成によれば、底面部材が筐体の内部に収容する構成要素を支持する支持部を有する。言い換えれば、底面部材の一部は支持部として機能するように作り込まれている。このように、底面部材に支持部を設けることにより、積層ＣＦＲＰ材のような加工の難しい材料を側面部材に用いた場合であっても、筐体の内部で構成要素を支持することができる。
【００２２】
また、上記支持部は、上記側面部材の内周に沿って設けられており、上記支持部と、上記側面部材の内側の面とが接着されていることが好ましい。
【００２３】
上記の構成によれば、側面部材の内周に沿って設けられた支持部と、側面部材の内側の面とが接着されているので、側面部材と底面部材との接続が強固になる。
【００２４】
また、上記側面部材の高さは、上記筐体の内部空間の高さ以上であることが好ましい。
【００２５】
上記の構成によれば、側面部材の高さは、筐体の内部空間の高さ以上である。したがって、図２２に示すような、基体１０２が側面までカバーしている従来の電子機器筐体と比べて、側面部材の剛性による筐体全体の剛性への寄与を大きくすることができる。つまり、図２２の枠体１０１と上記側面部材とを同じ剛性の材料で形成し、図２２の基体と上記底面部材とを同じ剛性の材料で形成した場合、本発明の筐体の方が全体として剛性が高くなる。
【００２６】
また、上記側面部材の上面は、該側面部材によって形成される上記筐体の開口部を塞ぐ板状の保護部材を接着するための接着面となっていることが好ましい。
【００２７】
上記の構成によれば、側面部材の上面は、筐体の開口部を塞ぐ保護部材を接着するための接着面となっているので、筐体内部に所定の構成要素を配置した後、極めて簡易に開口部を塞いで電子機器を構成することができる。上記構成要素は、例えば画像を表示する表示部であってもよく、この場合、保護部材を介して表示部が表示する画像が見えるような配置とする。
【００２８】
また、上記側面部材の上面に、上記保護部材を固定するための切り欠き部が設けられていることが好ましい。
【００２９】
上記の構成によれば、側面部材の上面に、保護部材を固定するための切り欠き部が設けられているため、保護部材が側面部材上でずれることを防ぐことができる。
【００３０】
また、上記筐体は、上記側面部材の下端部がテーパ状に形成されているか、または上記側面部材の下端部の上記筐体の外側に向く角が円弧状に形成されていることが好ましい。
【００３１】
上記の構成によれば、側面部材の下端部がテーパ状に形成されているか、または側面部材の下端部の筐体の外側に向く角が円弧状に形成されている。つまり、上記の構成によれば、筐体の下端部を内向きに傾斜させるか、または筐体の下面側の外側向きの角を円弧状とすることができる。
【００３２】
このように、側面部材は完全な６面体形状の平板に限られず、その一部を切削したような形状であってもよい。
【００３３】
また、上記底面部材は、上記側面部材を覆って上記筐体の側面まで延在していることが好ましい。
【００３４】
上記の構成によれば、底面部材が側面部材を覆って筐体の側面まで延在している。つまり、筐体の側面が側面部材と底面部材との両方で構成されている。したがって、底面部材によって側面部材を補強することができ、筐体の底面から側面にかけての外観の質感を統一することができる。
【００３５】
また、上記底面部材の上記筐体の側面まで延在する端部は、上記側面部材の上面よりも上側まで達していることが好ましい。
【００３６】
上記の構成によれば、底面部材の筐体の側面まで延在する端部は、側面部材の上面よりも上側まで達している。したがって、側面部材の上面に上記の保護部材を接着したときに、上記端部によって保護部材のずれを防ぐことができる。
【００３７】
また、上記筐体の側面の一部は、上記側面部材よりも加工の容易な材質の部材で構成されていることが好ましい。
【００３８】
上記の構成によれば、筐体の側面の一部が側面部材よりも加工の容易な材質の部材で構成されている。これにより、側面部材を加工の困難な材料で形成した場合であっても、筐体側面の一部が加工の容易な材質の部材で構成されるので、この部分を加工対象とすることにより、側面に加工を施した筐体を容易に提供することが可能になる。
【００３９】
また、上記側面部材は、複数の平板形状の部材を接続して形成されたものであることが好ましい。
【００４０】
上記の構成によれば、側面部材を曲げる等の加工を行うことなく、所望の形状の側面部材を形成することができる。例えば、筐体が直方体状の形状であり、その側面が４つの面で構成されている場合、各面に対応する平板形状の部材を接続して側面部材とすることにより、１枚の平板形状の部材を折り曲げて側面部材とする場合と比べて、加工が容易である。
【００４１】
また、上記側面部材は、炭素繊維を並べて樹脂で固めたシートを複数枚積層したＣＦＲＰ材で形成されていることが好ましい。
【００４２】
上記の構成によれば、側面部材が炭素繊維を並べて樹脂で固めたシートを複数枚積層したＣＦＲＰ材で形成されている。このように、極めて高剛性であるが加工が難しい材料で側面部材を形成することにより、筐体全体の剛性を高めることができる。
【００４３】
また、上記底面部材は、細断した繊維を混合して形成された繊維強化樹脂で形成されていることが好ましい。
【００４４】
上記の構成によれば、側面部材が炭素繊維を並べて樹脂で固めたシートを複数枚積層したＣＦＲＰ材で形成されている上、底面部材が、細断した繊維を混合して形成された繊維強化樹脂で形成されている。
【００４５】
このように、極めて高剛性であるが加工が難しい材料で側面部材を形成することにより、筐体全体の剛性を高めることができる。そして、ある程度の剛性を有し、軽量で加工の容易な材料で底面部材を形成することで、筐体全体の剛性を落とすことなく、軽量化をはかることができる。また、繊維強化樹脂で形成された底面部材は、筐体内部に収容する構成要素を支持する構成を作り込むことも容易である。
【００４６】
すなわち、上記の構成によれば、高剛性と軽量化とを両立させた、携帯型の電子機器等に特に好適な筐体を提供することができる。
【００４７】
また、上記筐体を備えた携帯型電子機器であれば、上記筐体と同様の作用効果を奏する。
【発明の効果】
【００４８】
以上のように、本発明の筐体は、筐体の側面を構成する側面部材と、上記側面部材と接続されて上記筐体の底面を構成する底面部材とを含み、上記側面部材は、平板形状であって、上記底面部材よりも剛性が高い構成である。
【００４９】
したがって、積層ＣＦＲＰ材のような加工の難しい材料で側面部材を構成することが可能になり、また筐体全体として高い剛性が得られるという効果を奏する。
【図面の簡単な説明】
【００５０】
【図１】本発明の一実施形態を示す図であり、携帯端末装置の要部構成を示す分解斜視図である。
【図２】上記携帯端末装置の筐体の組み立て方法を説明する図である。
【図３】上記筐体のＡ−Ａ断面図である。
【図４】表示部を支持する支持部を有する底面部材を備えた筐体の横断面図である。
【図５】底面部材の支持部と、側面部材とをビスで固定した筐体の横断面図である。
【図６】底面部材の側面に側面部材を接着した筐体の横断面図である。
【図７】支持部を有する底面部材の側面に側面部材を接着した筐体の横断面図である。
【図８】筐体の側面まで延在する底面部材を用いた筐体の横断面図である。
【図９】筐体の側面まで延在し、支持部を有する底面部材を用いた筐体の横断面図である。
【図１０】保護パネルを接続した図３の筐体の横断面図である。
【図１１】保護パネルを接続した図８の筐体の横断面図である。
【図１２】切り欠き部を有する側面部材と底面部材とで構成される筐体の、保護パネルを接続した状態の横断面図である。
【図１３】底面部材の立ち上がり部分によって保護パネルのずれを防ぐ筐体の横断面図である。
【図１４】筐体の剛性の解析試験方法を示す図である。
【図１５】上記解析試験に用いた材料の曲げ弾性率と比重を示す図である。
【図１６】上記解析試験の結果を示す図である。
【図１７】底面部材の材料を高剛性樹脂で固定し、側面部材の材料を変えた場合の解析試験結果を示す図である。
【図１８】上記筐体との比較のために解析の対象とした筐体の構成を示す横断面図であり、同図（ａ）は断面がＩ字型で上記側面部材よりも高さの低い側面部材を用いた構成を示し、同図（ｂ）は断面がＬ字型の側面部材を用いた構成を示している。
【図１９】図１８（ａ）（ｂ）に示す構成の筐体の剛性を、図３に示した構成の筐体の剛性に対する剛性比で示した図である。
【図２０】四隅にＲの付いた形状（四隅が上面視略円弧状）の側面部材を用いた筐体の上面図である。
【図２１】上記側面部材の断面形状の例を示す図である。
【図２２】従来技術を示す図であり、従来の電子機器筐体の横断面図である。
【図２３】複数の平板を組み合せて形成される側面部材を用いた筐体の組み立て方法を示す図である。
【図２４】４つの側面のうち２面を側板部材で構成した筐体の組み立て方法を示す図である。
【発明を実施するための形態】
【００５１】
以下、本発明の実施の形態について、図１〜図２４に基づいて詳細に説明する。
【００５２】
〔携帯端末装置の概略構成〕
まず、本実施形態の携帯端末装置の概略構成を図１に基づいて説明する。図１は、携帯端末装置（携帯型電子機器）１の要部構成を示す分解斜視図である。
【００５３】
携帯端末装置１は、画像を表示する機能を少なくとも備えた携帯型の電子機器である。携帯端末装置１は、例えばスマートフォンやＰＤＡ（Personal Digital Assistance）、
タブレット端末、携帯型ゲーム機であってもよいし、音声や動画像の再生装置であってもよい。
【００５４】
図示のように、携帯端末装置１は、側面部材２と底面部材３とで構成される筐体１０の内部にバッテリー４、基板５、および表示部６を備えている。そして、筐体１０の開口部に設けられた保護パネル（保護部材）７により、バッテリー４、基板５、および表示部６が筐体１０の内部に収容されている。なお、携帯端末装置１は、筐体１０の構成に特徴を有するものであり、筐体１０の内部に収容される構成要素は図示の例に限られない。
【００５５】
側面部材２は、筐体１０の側面を構成する部材であり、筐体１０の周囲を囲う枠型の形状である。携帯端末装置１を薄型化して携帯性を高めるため、側面部材２の高さは低いことが好ましい。詳細については後述するが、携帯端末装置１では、側面部材２を底面部材３よりも剛性の高い材料で形成し、これにより筐体１０全体としての剛性を高めている。
【００５６】
底面部材３は、筐体１０の底面を構成する部材であり、側面部材２の開口の一方を閉じるように形成されている。上記のように、底面部材３は、側面部材２よりも剛性が低い。筐体１０の軽量化のため、底面部材３は軽量の材料で形成することが好ましい。
【００５７】
バッテリー４は、携帯端末装置１が動作するための電力を供給するものであり、基板５は、携帯端末装置１における各種演算処理を行うものである。
【００５８】
表示部６は、画像を表示するためのものであり、液晶パネル、光学シート、およびバックライトモジュールを含む液晶モジュールで構成されている。なお、表示部６は画像を表示することができるものであればよく、例えば有機ＥＬ等の表示装置であってもよい。
【００５９】
保護パネル７は、筐体１０の内部を外部から遮断するためのものである。つまり、側面部材２の開口の一方を底面部材３が塞ぎ、他方を保護パネル７が塞ぐことによって、筐体１０の内部が筐体１０の外部と遮断される。保護パネル７を介して表示部６が表示する画像が見えるように、保護パネル７の表示部６の表示領域と重なる領域は透明な材料で構成する。
【００６０】
〔筐体のより詳細な構成〕
次に、筐体１０のより詳細な構成について図２に基づいて説明する。図２は、筐体１０の組み立て方法を説明する図である。
【００６１】
図示のように、側面部材２は、４つの側面を有する枠型の形状である。筐体１０を上面のない六面体と見た場合、側面の４面が側面部材２で構成され、底面の１面が底面部材３で構成されている。本実施形態では、側面部材２の材料として、積層ＣＦＲＰ材（〔発明が解決しようとする課題〕参照）を用いる。
【００６２】
積層ＣＦＲＰ材には、樹脂内に細断した炭素繊維を混合して成形するＣＦＲＰ材（混合ＣＦＲＰ材と呼ぶ）と比べて、剛性が著しく高いという特徴がある。具体的には、積層ＣＦＲＰ材には、曲げ弾性率が２００ＧＰａ以上の極めて剛性の高いものが存在するが、混合ＣＦＲＰ材では２０ＧＰａ程度が限界である。また、積層ＣＦＲＰ材は、同程度の剛性を有する金属材料等と比べて極めて軽い。
【００６３】
ただし、積層ＣＦＲＰ材は、シートを積層して作られるため、複雑な形状に成形したり加工したりすることが困難である。そして、一般的な筐体では、その内部に収容する構成要素を支持または固定するための形状等を作り込むことが必要であるため、従来は、積層ＣＦＲＰ材を筐体の材料として用いることが極めて困難であった。
【００６４】
例えば、上述の特許文献１では、枠体の材料をＣＦＲＰ材としているが、このＣＦＲＰ材の曲げ弾性率は１５ＧＰａであることから、特許文献１のＣＦＲＰ材は、積層ＣＦＲＰ材ではなく、混合ＣＦＲＰ材であると考えられる。
【００６５】
筐体１０では、側面部材２を簡素な枠型形状とすることによって、側面部材２の材料として、高剛性かつ軽量な積層ＣＦＲＰ材を用いることを可能としている。なお、側面部材２は、各側面が簡素な平板形状であればよく、その形成方法は特に限定されない。例えば、１枚の平板を曲げることによって形成されていてもよい。この場合、側面部材２の四隅は曲面であってもよい。また、４枚の平板を接着して形成されていてもよい。
【００６６】
一方、底面部材３は、上面が長方形の平板状の形状である。側面部材２を底面部材３の上面に接着して筐体１０が形成されるため、底面部材３は、その上面で側面部材２の開口を塞ぐことができるサイズとする。
【００６７】
筐体１０では、側面部材２を加工の難しい積層ＣＦＲＰ材で形成しているため、筐体１０の内部に収容する構成要素を支持または固定するための形状等は、底面部材３において作り込む必要がある。また、底面部材３の剛性が余りに低い場合、筐体１０全体としての剛性も下がってしまう。
【００６８】
そして、スマートフォン等の携帯端末装置は薄型であるから、筐体１０全体の体積に占める底面部材３の割合は、側面部材２よりも大きい（例えば２〜４倍程度）。このため、筐体１０の軽量化のためには底面部材３を軽量化することが効果的である。
【００６９】
このため、底面部材３は、複雑な形状への成形や加工が容易で、ある程度剛性が高く、側面部材２よりも軽量な（低密度の）材料で構成することが好ましい。例えば、曲げ弾性率が１０ＧＰａ以上の高剛性樹脂（例えば混合ＣＦＲＰ材）であれば、これらの条件を満たすため望ましい。無論、ＣＦＲＰ材に限られず、ＧＦＲＰ材（Glass Fiber Reinforced
Plastic）のような他の繊維強化樹脂材であってもよい。
【００７０】
図２の例では、底面部材３の上面の外周に沿った領域が、側面部材２の貼り付け位置となっている。そして、両面接着テープや接着剤（熱硬化や湿度硬化等、必要な接着強度が得られるものであればよい）等によって、この貼り付け位置に側面部材２の底面部分を貼り付けることにより、側面部材２と底面部材３とを一体化し、筐体１０を形成する。
【００７１】
なお、底面部材２の材料は、高剛性樹脂が好ましいとしているが、必要とされる剛性によっては、一般的な熱可塑性樹脂材（例えばポリカーボネート）を適用することも可能である。
【００７２】
なお、図示の例では、底面部材３の上面を貼り付け位置（両面接着テープ等を貼り付ける位置）としているが、側面部材２の底面部分を貼り付け位置としてもよい。
【００７３】
〔筐体の断面構成〕
続いて、筐体１０の断面構成について、図３に基づいて説明する。図３は、図２に示した筐体１０のＡ−Ａ断面図である。
【００７４】
図示のように、側面部材２は横断面がＩ字状である。このような簡素な形状とすることにより、側面部材２の材料として積層ＣＦＲＰ材を用いることが可能になる。これに対し、図２２に示した従来例では、枠体１０１の断面はＬ字状であるから、枠体１０１の材料として積層ＣＦＲＰ材を用いることは難しい。
【００７５】
また、図３からわかるように、底面部材３は均一な厚さの平板である。無論、底面部材３の形状はこれに限られない。上述のように、底面部材３は、加工が容易な高剛性樹脂等で形成するため、筐体１０内に収容する表示部６等の構成要素を固定するための形状や、側面部材２との接着性を高めるための形状等が作りこまれていてもよい。
【００７６】
図示の例では、底面部材３の上面の端部に側面部材２が接着されている。そして、底面部材３の側面（端面）と側面部材２の外側面（筐体１０の外部側に向く面）とで筐体１０の外側の側面が形成されている。
【００７７】
〔底面部材に関する変形例〕
図３の例では、平板状の底面部材３の上面に側面部材２を接着する例を示したが、底面部材３の形状および接着の態様はこの例に限られない。ここでは、底面部材３に関する変形例を図４から図９に基づいて説明する。なお、図４から図９は、何れも図３と同じ位置（図２のＡ−Ａの位置）の断面図である。
【００７８】
図４は、表示部６を支持する支持部３０ａを有する底面部材３０を備えた筐体１０の横断面図である。図４の例では、底面部材３０の上面の外周に沿った領域に側面部材２が接着されている。そして、底面部材３０の上面には、表示部６を載置するための支持部３０ａが側面部材２の内周に沿って形成されている。
【００７９】
より詳細には、支持部３０ａは、筐体１０の外部に向く側面で側面部材２と接しており、その上面で表示部６を筐体１０の内部に平行に支持できるように、上面が水平かつ高さの均一な平面となっている。また、同図には示していないが、支持部３０ａは、側面部材２に沿って、筐体１０の内部を一周している。
【００８０】
なお、支持部３０ａは、その上面に表示部６を載置して平行に支持することができる形状であればよく、上記の構成に限られない。例えば、支持部３０ａは、側面部材２に沿って不連続に並んでいてもよいし、側面部材２から筐体１０の内側方向に離れた位置に設けられていてもよい。ただし、上記構成のように、側面部材２に沿って筐体１０の内部を一周するように支持部３０ａを設けた場合には、側面部材２と底面部材３０との接続を安定化させることができるので好ましい。また、側面部材２と底面部材３０との接続をさらに安定化させるため、支持部３０ａの側面と側面部材２とを接着してもよい。
【００８１】
また、図５に示すように、支持部３０ａの側面と側面部材２とをビスで固定してもよい。図５は、底面部材３０の支持部３０ａと、側面部材２とをビス８で固定した筐体１０の横断面図である。
【００８２】
図示の例では、筐体１０の内部側から、支持部３０ａを貫通して側面部材２に達する長さのビス８により、底面部材３０の支持部３０ａと側面部材２とを固定している。これにより、側面部材２と底面部材３０との接続を、接着の場合よりも強固なものとすることができる。
【００８３】
また、図示していないが、側面部材２と底面部材３０の一方に爪形形状の凸部を設け、他方に上記凸部を挿通し、上記爪形を引っ掛ける穴部を設けてもよい。このような構成の凸部と穴部とを嵌合して固定することにより、側面部材２と底面部材３０とを強固に接続することができる。
【００８４】
上述の例では、底面部材３または３０の上面に側面部材２を接着しているが、図６に示すように、側面に接着してもよい。図６は、底面部材３の側面に側面部材２を接着した筐体１０の横断面図である。
【００８５】
図示のように、底面部材３の側面と、側面部材２の内側側面とが接着されている。そして、底面部材３の底面と側面部材２の底面とで筐体１０の底面が形成されている。また、筐体１０の側面は側面部材２のみで形成されている。
【００８６】
また、側面に接着する場合であっても、例えば図７のようにして表示部６の支持部を設けることができる。図７は、支持部３１ａを有する底面部材３１の側面に側面部材２を接着した筐体１０の横断面図である。
【００８７】
図７の構成によれば、図６の構成と比べて側面部材２との接触面積が広くなるため、より強固な接着が可能となる。また、図７の例においても図５の例と同様に、ビスによって側面部材２と底面部材３１とを固定してもよい。
【００８８】
また、上述の例では、側面部材２が筐体１０の表面に露出しているが、例えば図８に示すように、筐体１０の側面まで延在する底面部材３２を用いることにより、側面部材２が露出しないようにしてもよい。図８は、筐体１０の側面まで延在する底面部材３２を用いた筐体１０の横断面図である。
【００８９】
図示の底面部材３２は、断面がコの字状であり、筐体１０の底面および側面の両方を覆っている。そして、側面部材２は、底面部材３２の立ち上がり部分（筐体１０の側面となる部分）の内側に接し、この立ち上がり部分に沿って筐体１０の内部を一周するように設けられている。
【００９０】
この構成によれば、底面部材３２と側面部材２とが２面で接するので、これらの部材の接続が安定する。また、底面部材３２によって側面部材２が補強されるので、剛性の向上も期待できる。さらに、側面部材２が露出しないので、筐体１０の外観の質感を統一することができる。なお、筐体１０の側面に必要な剛性および強度は、高剛性の材料で形成される側面部材２のみによっても得られるため、底面部材３２の立ち上がり部分の厚さは、筐体１０の底面部分よりも薄くしてもよい。
【００９１】
また、図９に示すように、図８の底面部材３２に支持部３３ａを追加した底面部材３３を用いてもよい。図９は、筐体１０の側面まで延在し、支持部３３ａを有する底面部材３３を用いた筐体１０の横断面図である。
【００９２】
図示のように、底面部材３３の上面には、表示部６を載置するための支持部３３ａが形成されている。支持部３３ａの形状は、上述の支持部３０ａ、３１ａと同様である。底面部材３３の構成によれば、側面部材２が底面部材３２の立ち上がり部分と支持部３３ａとで挟み込まれるため、側面部材２と底面部材３２との接続を強固にすることができる。
【００９３】
なお、側面部材２は筐体１０の側面を覆う形状であり、底面部材３は筐体１０の底面を覆う形状であればよく、上記の例に限られない。
【００９４】
また、上述の例のうち、図３、図６、および図８のように、支持部を有さない底面部材を用いる場合には、表示部６等の構成要素を支持するための部材を筐体１０の内部に設置すればよい。例えば、筺体１０の内部にリブ等を設けたホルダーを設置してもよい。
【００９５】
〔保護パネルとの接続〕
続いて、筐体１０と保護パネル７との接続の態様について、図１０から図１３に基づいて説明する。
【００９６】
筐体１０が図３のような形状である場合、保護パネル７は図１０のような態様で接続すればよい。図１０は、保護パネル７を接続した図３の筐体１０の横断面図である。
【００９７】
図示のように、側面部材２の上面に保護パネル７が載置され、接続されている。つまり、側面部材２の上面が保護パネル７との接着面となっている。なお、側面部材２と保護パネル７との接続は、側面部材２と底面部材３との接続と同様、両面接着テープや接着剤等で行うことができる。
【００９８】
この例では、上面から見て同形状の保護パネル７と底面部材３とで側面部材２が挟み込まれる形状となっている。保護パネル７と底面部材３とは上面視で同形状に形成されている。
【００９９】
また、筐体１０が図８のような形状である場合、保護パネル７は図１１のような態様で接続すればよい。図１１は、保護パネル７を接続した図８の筐体１０の横断面図である。
【０１００】
図示のように、側面部材２の上面と底面部材３２の立ち上がり部分の上面とを覆うように保護パネル７が載置され、接続されている。つまり、保護パネル７の幅は、側面部材２の幅と底面部材３２の立ち上がり部分の幅との和に等しくなっている。この例では、図１０の例と比べて、筐体１０と保護パネル７との接触面積が広くなるため、筐体１０と保護パネル７との接続を強固にすることができる。
【０１０１】
また、保護パネル７が筐体１０上でずれることがないように、側面部材２の上面形状を加工してもよい。これについて、図１２に基づいて説明する。図１２は、切り欠き部２０ａを有する側面部材２０と底面部材３とで構成される筐体１０の、保護パネル７を接続した状態の横断面図である。
【０１０２】
図示のように、側面部材２０は、側面部材２と同様に断面がＩ字形状であり、その上面の筐体１０の内部側の内周に、保護パネル７を嵌め込むための切り欠き部２０ａが設けられている。これにより、保護パネル７が横方向にずれることを防ぐことができる。
【０１０３】
なお、積層ＣＦＲＰ材は、上述のように加工が難しい材料であるが、その一部を切削して上記のような切り欠き部２０ａを設ける程度の加工であれば、十分に可能である。
【０１０４】
また、保護パネル７のずれを防ぐ構成としては、図１３のような構成も考えられる。図１３は、底面部材３４の立ち上がり部分によって保護パネル７のずれを防ぐ筐体１０の横断面図である。
【０１０５】
図示のように、底面部材３４は、図８の底面部材３２と同様に、立ち上がり部分を有し、断面がコの字形状であるが、この立ち上がり部分の高さが側面部材２よりも高い（上側に達している）点で底面部材３２と異なっている。
【０１０６】
このように、立ち上がり部分の高さが側面部材２よりも高い底面部材３４を用いることにより、側面部材２上に載置した保護パネル７の左右方向のずれを防ぐことができる。なお、立ち上がり部分は、側面部材２の上面よりも高い位置にその上面が位置するような高さであればよい。
【０１０７】
ただし、底面部材３４の立ち上がり部分が突出することがないように、底面部材３４の立ち上がり部分の高さは、側面部材２上に載置した保護パネル７の上面と同じか、より低くなるようにすることが好ましい。
【０１０８】
ここで、上述の何れの例においても、側面部材２の高さは、保護パネル７で閉じられた筐体１０内部の空間の高さと同じか、またはそれよりも高くなっている。このように、筐体１０の側面における側面部材２の占める割合を大きくすることにより、側面部材２の剛性が筐体１０全体の剛性に与える寄与を大きくすることができる。
【０１０９】
なお、上述の例では、底面部材が支持部を有さない筐体１０に保護パネル７を接続した例を示したが、支持部を有する場合も同様にして保護パネル７を接続できることは言うまでもない。
【０１１０】
〔筐体の材料と剛性〕
次に、筐体１０の材料と剛性について、図１４から図１７に基づいて説明する。
【０１１１】
図１４は、筐体１０の剛性の解析試験方法を示す図である。図示のように、剛性の解析試験は、水平に置かれた筐体１０の四隅のうち３点を固定し、残る１点に対して鉛直方向下向きに一定の大きさの荷重をかける。そして、荷重による最大変位を基に筐体１０の剛性を評価した。なお、最大変位が小さいほど剛性が高いということになる。
【０１１２】
より詳細には、（側面部材２と底面部材３とを共にアルミニウムで形成した場合の変位）／（側面部材２および底面部材３の材料を変えた場合の変位）×１００＝（剛性比）との数式により、剛性を相対評価した。剛性比が１００％を超えた場合、側面部材２と底面部材３とを共にアルミニウムで形成した場合よりも剛性が上がったということになる。
【０１１３】
また、（側面部材２と底面部材３とを共にアルミニウムで形成した場合の筐体１０の質量）／（側面部材２および底面部材３の材料を変えた場合の筐体１０の質量）×１００＝（質量比）との数式により、質量を相対評価した。質量比が１００％未満となった場合、側面部材２と底面部材３とを共にアルミニウムで形成した場合よりも軽量化されたということになる。
【０１１４】
図１５は、解析試験に用いた材料の曲げ弾性率と比重を示す図である。図示のように、ここでは筐体１０の材料として、軟鋼、ＣＦＲＰ材（積層ＣＦＲＰ材）、チタン合金、アルミニウム、およびマグネシウム合金を用いた。
【０１１５】
図示のように、ＣＦＲＰ材（積層ＣＦＲＰ材）は、軟鋼と曲げ弾性率が等しく、比重は軟鋼よりも小さい。つまり、高剛性かつ軽量であり、筐体１０の材料として望ましい性質を備えている。
【０１１６】
同図に示す材料は、ＣＦＲＰ材を除いて全て金属材料であり、同図の上側に記載されているものほど曲げ弾性率が高く、かつ比重が高い。
【０１１７】
また、同図に示した材料以外に、低剛性樹脂および高剛性樹脂も筐体１０の材料として使用した。なお、低剛性樹脂は、剛性を高めるための炭素繊維等の添加物を加えていないポリカーボネート等の樹脂材であり、高剛性樹脂は、細断したガラス繊維や炭素繊維等を添加した繊維強化樹脂材であり、例えば上述の混合ＣＦＲＰ材である。
【０１１８】
使用した低剛性樹脂の曲げ弾性率は２．５ＧＰａであり、比重は１．２である。また、高剛性樹脂の曲げ弾性率は１０ＧＰａであり、比重は１．６である。
【０１１９】
図１６は、解析試験の結果を示す図である。
【０１２０】
図示のように、側面部材２を軟鋼で形成し、底面部材３を高剛性樹脂で形成した場合、剛性比は１４４％となり、側面部材２と底面部材３とを共にアルミニウムで形成した場合よりも剛性が大幅に向上した。ただし、質量比は１０７％であり、質量は増加している。これは、側面部材２にアルミニウムよりも比重の大きい軟鋼を用いたことによる質量の増加量が、底面部材３にアルミニウムよりも比重の小さい高剛性樹脂を用いたことによる質量の減少量を上回ったためである。
【０１２１】
側面部材２をＣＦＲＰ材で形成し、底面部材３を高剛性樹脂で形成した場合、剛性比は１４４％であり、軟鋼を用いた場合と同様に剛性が大幅に向上している。また、質量比は６２％であり、大幅に軽量化されている。このように、側面部材２を積層ＣＦＲＰ材で形成し、底面部材３を高剛性樹脂で形成することにより、高剛性化と軽量化とを同時に実現することができる。
【０１２２】
一方、この場合とは逆に、側面部材２を高剛性樹脂で形成し、底面部材３を積層ＣＦＲＰ材で形成した場合、図示のように剛性比は３０％に低下してしまう。また、質量比は７１％であり、側面部材２と底面部材３とを共にアルミニウムで形成した場合よりは軽量化されているものの、側面部材２をＣＦＲＰ材で形成し、底面部材３を高剛性樹脂で形成した場合より重くなっている。これは、側面部材２と比べて体積が大きい底面部材３に、高剛性樹脂よりも高密度の積層ＣＦＲＰ材を用いたことに起因する。
【０１２３】
このように、同じ積層ＣＦＲＰ材および高剛性樹脂の組み合わせで筐体１０を形成する場合であっても、側面部材２を積層ＣＦＲＰ材で形成し、底面部材３を高剛性樹脂で形成したときには高剛性化と軽量化とを同時に実現することができる一方、逆の組み合わせでは剛性が低下し、軽量化の度合いも小さくなってしまう。
【０１２４】
これらの結果から、筐体１０の全体としての剛性には、側面部材２の剛性の寄与が大きく、底面部材３のみの剛性を高めたとしても、側面部材２の剛性が低い場合には、筐体１０全体として高い剛性は得られないことがわかる。
【０１２５】
したがって、側面部材２は底面部材３よりも剛性の高い材料で形成する必要がある。また、一般的に、底面部材３の体積は側面部材２と比べて大きい（体積比：２〜４程度）ため、底面部材３を低密度な材料で形成することにより、筐体１０全体として大きく軽量化することが可能になる。
【０１２６】
側面部材２を積層ＣＦＲＰ材で形成し、底面部材３を低剛性樹脂で形成した場合、剛性比は６７％に低下しているが、質量比は５１％であり、試験対象の組み合わせのうち、最も軽量化されている。この結果から、アルミニウムで形成した筐体１０と同程度またはそれ以上の剛性を得るためには、底面部材３についてもある程度（望ましくは１０ＧＰａ以上）の剛性が必要であることがわかる。
【０１２７】
また、図１７は、底面部材３の材料を高剛性樹脂で固定し、側面部材２の材料を変えた場合の解析試験結果を示す図である。
【０１２８】
図示のように、側面部材２をチタン合金で形成した場合、剛性比は８９％となる。そして、アルミニウムで構成した場合７１％となり、マグネシウム合金で構成した場合５０％となる。
【０１２９】
以上の結果からも、側面部材２を積層ＣＦＲＰ材で形成し、底面部材３を高剛性樹脂で形成する組み合わせが非常に優れていることがわかる。
【０１３０】
このように、側面部材に剛性の高い材料を用い、底面部材には軽量の高剛性樹脂を用いることにより、筐体１０の全体として、一定の剛性を保ちつつ軽量化することができる。したがって、筐体１０の側面部材２としては積層ＣＦＲＰ材や金属材料のような高剛性材料を適用し、底面部材３としてはＣＦＲＰ材よりも剛性は低いが軽量の樹脂材料を用いることが好ましい。
【０１３１】
〔筐体側面を底面部材で構成した場合の剛性〕
以上のように、本実施形態にかかる筐体１０は、筐体１０の側面における側面部材２の占める割合が大きいため、側面部材２の剛性が筐体１０全体の剛性に与える寄与も大きい。この寄与の大きさの解析結果を図１８および図１９に基づいて説明する。
【０１３２】
図１８は、解析の対象とした筐体の構成を示す横断面図であり、同図（ａ）は断面がＩ字型で側面部材１０よりも高さの低い側面部材を用いた構成を示し、同図（ｂ）は断面がＬ字型の側面部材を用いた構成を示している。
【０１３３】
同図（ａ）（ｂ）に示すように、側面部材１０よりも高さの低い側面部材を用いる場合、筐体全体としての高さを保つため、底面部材の端部を立ち上げた構成とし、筐体側面が底面部材の立ち上がり部分（リブ）と、側面部材とで構成されるようにしている。
【０１３４】
また、図１９は、図１８（ａ）（ｂ）に示す構成の筐体の剛性を、図３に示した構成の筐体１０の剛性に対する剛性比で示した図である。なお、断面がＬ字形状の側面部材の質量（体積）は、図３等に示す側面部材２の質量と同等にしている。また、図示のように、何れの筐体も側面部材を積層ＣＦＲＰ材とし、底面部材を高剛性樹脂材としている。その他の条件は上述の例と同じである。
【０１３５】
図示のように、（側面部材の高さ／全体高さ）が０の場合、つまり側面部材を用いず、筐体側面も底面部材で構成した場合、図３等に示す筐体１０と比べて、剛性が１０％に低下する。また、（側面部材の高さ／全体高さ）を０．２５とした場合には剛性が２６％に低下し、０．５とした場合には５７％に低下する。何れの場合も剛性の低下は著しい。
【０１３６】
そして、図１８（ｂ）に示した断面がＬ字型の側面部材を用いた場合も、剛性が８５％に低下する。このように、筐体１０の高さに対して側面部材２の高さが高い（同図の例では（側面部材の高さ／全体高さ）が０．８７５）本実施形態の構成によれば、図１８（ｂ）に示すような従来の構成と比べて、筐体１０の剛性をより高めることができる。
【０１３７】
〔側面部材の形状についての補足〕
上述の例では、長方形状の平板を４枚接続した形状の側面部材２を用いる例を主に説明したが、側面部材２は積層ＣＦＲＰ材のような複雑な形状への成形または加工が難しい材料で形成できるような簡素な形状であればよく、この例に限られない。
【０１３８】
例えば、図２０に示すように、上面視で四隅にＲが付いた形状であってもよい。図２０は、四隅にＲの付いた形状（四隅が上面視略円弧状）の側面部材２を用いた筐体１０の上面図である。このような形状の側面部材２は、例えば１枚の平板を曲げることによって成形することができる。
【０１３９】
図２０のような構成においても、側面部材２の４つの側面の形状は両端部を除いて平板形状であって、全体として概ね平板形状であるといえる。側面部材２をこのような簡素な形状とすることにより、その材料として積層ＣＦＲＰ材のような複雑な形状への成形または加工が難しい材料を適用することが可能になる。
【０１４０】
また、上述の例では、側面部材２の断面が長方形状である例を主に説明したが、この例に限られない。これについて、図２１に基づいて説明する。図２１は、側面部材２の断面形状の例を示す図である。
【０１４１】
同図（ａ）は、長方形状である。図３等の例に示した側面部材２がこのような断面形状を有する。また、同図（ｂ）は、切り欠きを有する長方形状である。図１２に示した側面部材２０がこのような断面形状を有する。なお、切り欠きは、筐体１０の内部側に向いて設けられる。
【０１４２】
同図（ｃ）は、テーパを有する長方形状である。より詳細には、同図（ｃ）の形状は、長方形の下端部が下端に近付くほど幅の狭いテーパ状となっている。このような断面形状の側面部材２を例えば図６のようにして底面部材３と接続した場合、形成される筐体１０は、下面付近の側面が内向きに傾斜した形状となる。
【０１４３】
また、同図（ｄ）は１つの角がＲ状（円弧状）の長方形状である。このような断面形状の側面部材２を例えば図６のようにして底面部材３と接続した場合、形成される筐体１０は、下面側の外側に向く角が円弧状となる。なお、上記「円弧状」には、一定半径の円の一部分となる形状のみならず、楕円の一部分のような曲面も含まれる。
【０１４４】
これらの形状は、同図（ａ）に示すような断面形状の側面部材２の角を切削することによって形成することができる。側面部材２を積層ＣＦＲＰ材のような複雑な形状への成形または加工が難しい材料で形成した場合であっても、この程度の形状の加工であれば十分に可能である。
【０１４５】
つまり、側面部材２は、断面が同図（ａ）に示すような長方形状である構成に限られず、同図（ｂ）〜（ｄ）に示すように、その一部を切削したような形状であってもよい。
【０１４６】
〔側面部材の変形例〕
上述のように、側面部材２は、複数の平板を組み合せて形成されていてもよい。これについて、図２３に基づいて説明する。図２３は、本変形例の筐体７０の組み立て方法を示す図である。
【０１４７】
図示のように、側面部材５２は、４つの側板部材５２ａ〜５２ｄを接続してなり、筐体７０は側面部材５２と底面部材６０とを接続してなる。なお、底面部材６０は、上述の底面部材３等と同様の構成・材質であるから、ここでは説明を省略する。
【０１４８】
側板部材５２ａ〜５２ｄは、何れも平板状の形状であり、それぞれがその端部で接続されて、側面部材５２の一側面を構成する。つまり、側板部材５２ａ〜５２ｄは、互いに接続されることによって、１つの側面部材５２となる。無論、側面部材５２（側板部材５２ａ〜５２ｄ）は、底面部材６０よりも剛性の高い材料で形成する。側板部材５２ａ〜５２ｄが接続された側面部材５２の形状は、上述の側面部材２と同様である。
【０１４９】
側板部材５２ａ〜５２ｄの間の接続は、接着剤や両面接着テープで行うことができる。そして、側面部材５２と底面部材６０とを接続することによって、筐体７０が組み立てられる。なお、側面部材５２と底面部材６０とを接続する工程は図２と同様であるから、ここでは説明を省略する。
【０１５０】
このように、図２３の例では、側面部材２よりも形状が単純で、形成が容易な側板部材５２ａ〜５２ｄを用いて側面部材５２を構成している。このため、側面部材２を１枚の平板で形成する場合のような折り曲げ加工が必要ない。したがって、１枚の平板で形成する側面部材２を用いた場合と比べて、筐体を安価に製造することが可能となる。
【０１５１】
また、上述の側面部材２および側面部材５２は、何れも筐体側面全体を構成しているが、側面部材は、筐体の側面の少なくとも一部を構成するものであればよい。これについて、図２４に基づいて説明する。図２４は、４つの側面のうち２面を側板部材５２ａ、５２ｂで構成した筐体７１の組み立て方法を示す図である。
【０１５２】
図示のように、筐体７１は、突出部６１ａ、６１ｂを有する底面部材６１と、側板部材５２ａ、５２ｂとを接続してなる。この接続は、接着剤や両面接着テープ等で行えばよい。この例では、側板部材５２ａ、５２ｂが側面部材ということになる。
【０１５３】
底面部材６１は、上述の底面部材３、６０等と同様の構成・材質であるが、突出部６１ａ、６１ｂを有している点で相違する。突出部６１ａ、６１ｂは、側板部材５２ａ、５２ｂと共に筐体７１の側面を構成する部分である。突出部６１ａ、６１ｂは、筐体７１の側面のうち、側面部材（側板部材５２ａ、５２ｂ）でカバーされていない部分をカバーする（側面部材で覆われていない部分を埋める）形状である。このため、図２４の突出部６１ａ、６１ｂは、図２３の側板部材５２ｃ、５２ｄとそれぞれ同様の形状としている。
【０１５４】
底面部材６１は、高剛性樹脂等で形成することができるため、このような突出部６１ａ、６１ｂを作り込むことも容易である。なお、ここでは、底面部材５１の一部が突出部６１ａ、６１ｂとなっているとして説明を行ったが、底面部材は、上述の底面部材３、６０等のような平板状の底面部材に対し、突出部６１ａ、６１ｂと同様の形状の平板部材が接着または貼り付けされたものであってもよい。つまり、底面部材とは独立した第２の側面部材と、上記側面部材とを組み合せて筐体の側面を構成してもよい。
【０１５５】
このように、側面の一部を底面部材がカバーする構成とする、あるいは側面の一部を底面部材と同様の材料（高剛性樹脂等）で構成することにより、筐体側面の形状の加工が容易になる。例えば、筐体側面に外部接続用の端子（例えばイヤホン端子）等を設置するための穴を設けることも容易である。このような側面の加工性を担保するという観点から、上記のような第２の側面部材を用いる場合、その材料は側面部材よりも加工性の高いものとすることが好ましい。
【０１５６】
なお、図２３の例では側面部材５２を側面部材６０に貼り付けて筐体７０を形成する例を示し、図２４の例では側板部材５２ａ、５２ｂを側面部材６１に貼り付けて筐体７１を形成する例を示したが、側面部材（または側板部材）と底面部材との接続方法は、これに限られない。
【０１５７】
例えば、筐体７０の場合、底面部材６０を成形する時に、金型内に側面部材５２を装填し、同時に成形する方法（インサート成形）で一体化してもよい。筐体７１の場合も同様に、底面部材６１に側板部材５２ａ、５２ｂをインサート成形して製造してもよい。
【０１５８】
以上のように、側面部材は、筺体側面の少なくとも一部を構成するものであればよい。例えば、上述の例以外にも、４つの側面のうち１つ、あるいは３つを構成するものであってもよい。
【０１５９】
また、上記では、側面部材および側板部材が、１つの側面の全部を構成している例を示したが、１つの側面の一部を構成するものであってもよい。例えば、１つの側面のうち、その幅の一部（例えば２／３）が側板部材で構成され、残りが底面部材の突出部（図２４参照）や、高剛性樹脂等の側板部材で構成されていてもよい。
【０１６０】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１６１】
本発明の筐体１０は、電子機器の筐体に利用することができ、特にスマートフォン、ＰＤＡ等のような携帯型端末装置の筐体に好適に利用することができる。
【符号の説明】
【０１６２】
１        携帯端末装置（携帯型電子機器）
２、２０、５２  側面部材
２０ａ      切り欠き部
３、３０、３１、３２、３３、３４  底面部材
３０ａ、３１ａ、３３ａ  支持部
７        保護パネル（保護部材）
１０、７０、７１      筐体
５２ａ〜５２ｄ  側板部材（側面部材）
【図１】
2013140922.tif 000003
【図２】
2013140922.tif 000004
【図３】
2013140922.tif 000005
【図４】
2013140922.tif 000006
【図５】
2013140922.tif 000007
【図６】
2013140922.tif 000008
【図７】
2013140922.tif 000009
【図８】
2013140922.tif 000010
【図９】
2013140922.tif 000011
【図１０】
2013140922.tif 000012
【図１１】
2013140922.tif 000013
【図１２】
2013140922.tif 000014
【図１３】
2013140922.tif 000015
【図１４】
2013140922.tif 000016
【図１５】
2013140922.tif 000017
【図１６】
2013140922.tif 000018
【図１７】
2013140922.tif 000019
【図１８】
2013140922.tif 000020
【図１９】
2013140922.tif 000021
【図２０】
2013140922.tif 000022
【図２１】
2013140922.tif 000023
【図２２】
2013140922.tif 000024
【図２３】
2013140922.tif 000025
【図２４】
2013140922.tif 000026